(57)【要約】      （修正有）【課題】水槽の壁面３から魚を観賞しつつ餌を与える。【解決手段】棒状部材１と、この棒状部材を摺動自在に収納するスリーブ２を備え、水槽の壁面３に設けた貫通穴３１にこのスリーブを挿着して使用する。棒状部材１の水槽内突出側にはくぼみ１１が形成されており、このくぼみに餌を入れて水槽内の魚等に餌を与える。【選択図】図４
0003116447.tif 000002
【実用新案登録請求の範囲】
【請求項１】
円断面形状の棒状部材と、この棒状部材を摺動自在に収納するスリーブとを備え、
上記棒状部材の外周には、くぼみが形成され、
上記くぼみの開口部の長手方向寸法は、上記スリーブの長さより短くしてあり、
水槽の壁面に設けた貫通穴に上記スリーブを挿着して使用する
ことを特徴とする水槽内への餌投入具。
【請求項２】
請求項１において、上記水槽内に突出する側の上記棒状部材の端部には、この棒状部材の外周面より突出する部分を有する突起部が設けてある
ことを特徴とする水槽内への餌投入具。
【考案の詳細な説明】
【技術分野】
【０００１】
本考案は、水槽の壁面から水槽内へ餌を投入する餌投入具に関する。
【背景技術】
【０００２】
水槽内で観賞用の魚等を飼育する場合には、餌などは通常水槽の上部から与えていた。
【考案の開示】
【考案が解決しようとする課題】
【０００３】
しかしながら従来の手段では、高所に設置された水槽や高さ寸法の大きい水槽は、魚に餌を与えるときに手が届かなかったり、台などに登らなければならなかった。また餌を与えられた魚は、餌を食べようと水面上に上がって人の目線から離れたところに行ってしまう。さらに水槽の上部から餌を与えつつ魚を観賞する場合は、水面が乱れて水中の魚の様子がよくわからなくなることもある。
【０００４】
そこで本考案の目的は、水槽が高い所に設置されていても、台などに登らずに餌を与えることができ、さらには人の目線の近くで魚に餌を与えることができる水槽内への餌投入具を提供することにある。
【課題を解決するための手段】
【０００５】
上述した課題を解決すべく本考案による水槽内への餌投入具の特徴は、円断面形状の棒状部材と、この棒状部材を摺動自在に収納するスリーブとを備えている。また上記棒状部材の外周にはくぼみが形成され、このくぼみの開口部の長手方向寸法は、上記スリーブの長さより短くしてあり、さらに水槽の壁面に設けた貫通穴に、上記スリーブを挿着して使用することにある。
【０００６】
また上記水槽内に突出する側の上記棒状部材の端部には、この棒状部材の外周面より突出する部分を有する突起物を設けることが望ましい。
【０００７】
ここで「棒状部材」とは、円断面であれば材質や形状は問わない。例えば材質が合成樹脂の素材で、形状が長手方向に２００〜３００ｍｍであって、断面の径が２０〜３０ｍｍのものが望ましい。
【０００８】
また「スリーブ」とは、棒状部材を長手方向に移動可能に挿着するものを意味し、その材質や形状は問わない。例えば合成樹脂又はステンレス製の筒状円管であって、長手方向に４０〜６０ｍｍで、外径が３０〜５０ｍｍで肉厚が５〜１０ｍｍのものが望ましい。
【０００９】
「くぼみ」とは、棒状部材の外周に形成されたへこみを意味し、くぼみの開口部寸法がスリーブの長手方向寸法より短かければ、その形状やサイズ、及び数を問わない。また「貫通穴」とは、水槽の壁面に設けた開口穴で、スリーブを挿入して密着固定できるものを意味し、その形状や寸法は問わない。
【００１０】
「突起」とは、棒状部材がスリーブから抜けて外れないことを目的とするもので、その形状や材質は問わない。例えば棒状部材の端部に設けた円盤のフランジが該当する。
【考案の効果】
【００１１】
水槽の壁面に開口する貫通穴に装着したスリーブを介して、先端に設けたくぼみに餌を入れた棒状部材を出入れすることにより、従来のように水槽の上から餌を与えることなく、高所にある水槽であっても人の目線で魚等に餌を与えることができる。
【００１２】
棒状部材を円断面形状にすることにより、この棒状部材を自在に回転させることができる。したがって水槽内で魚等に餌を与えた後に、棒状部材に設けたくぼみを水槽外に引出して、このくぼみを下向きにすることで、残った餌等や水を容易に排出清掃することができる。
【００１３】
また棒状部材の外周に形成したスリーブの長手方向寸法より短い長手方向寸法のくぼみの開口部を形成することによって、このくぼみを水槽内から引き出す際に、このくぼみの開口部がスリーブの両端よりはみ出すことはない。従って水槽内の水が外に漏れることを防止できる。
【００１４】
棒状部材の水槽内側の端部外周面に、この外周面から突出する部分を有する突起部を設けることで、水圧等によって棒状部材が水槽外に押し出されスリーブから抜けることを防いでいる。
【００１５】
上述した技術的手段によって、本考案の水槽内への餌投入具は、水槽の壁面に設けた開口穴に容易に取付けることができて、高所に設置した水槽であっても人の目線で魚等に餌を与えることができる。さらに水槽外に水漏れがせず、餌等を入れるくぼみの清掃等が容易であるという特有の効果を発揮することができる。
【考案を実施するための最良の形態】
【００１６】
図１〜図４を参照して、本考案による水槽内への餌投入具を説明する。図１に示すように、本考案による水槽内への餌投入具は、それぞれアクリル樹脂製の円断面である棒状部材１と、この棒状部材の外周を摺動自在に収納する筒状のスリーブ２とから構成されている。棒状部材１の一端部１６と他端部１７とには、それぞれこの棒状部材の外径よりやや大きい外径の円盤状のフランジ１４がビス１５で取り付けてある。また、棒状部材の一端部１６から６０ｍｍの位置にくぼみ１１が設けらており、このくぼみは長手方向に２５ｍｍの開口部１２を備え、くぼみ１１の底部１３までが１５ｍｍである。
【００１７】
なお棒状部材１の長手方向寸法は２５０ｍｍで、外周は３０ｍｍである。またフランジ１４、１４は、厚さが１０ｍｍ、外径が４０ｍｍである。
【００１８】
次に図２で示すようにスリーブ２は筒状形状であって、このスリーブの内周面２２は上述した棒状部材１が摺動自在に挿入できる寸法にしてある。またスリーブ２の内周面２２には、軸方向と直交するＯリング用の溝２３が二箇所設けられ、このＯリング用の溝に、Ｏリング５を装着して水漏れを防止している。なおスリーブ２は外径が４０ｍｍで、肉厚が５ｍｍであり長手方向長さが５０ｍｍである。またＯリングは、例えばＪＩＳ  Ｂ  ２４０１  １種Ａ  Ｐ２８（ＪＩＳ規格）を使用する。
【００１９】
図３に示すように水槽の壁面３には、スリーブ２の外周面２１が挿入可能な貫通穴３１が開口し、この貫通穴にこのスリーブを挿着して接着剤で固定する。またスリーブ２には棒状部材１が摺動自在に収納し、水槽の壁面３に設けた貫通穴３１の周りは、この水槽の壁面の外側とに補強板４を接着してある。なお補強板４は、スリーブ２と一体成形してもよい。
【００２０】
図４を参照しつつ餌投入具の使用方法を説明する。棒状部材１は上述したようにスリーブ２を介して前後に移動可能であり、この棒状部材にはくぼみ１１が設けてある。そこで、くぼみ１１を水槽外に引出して、このくぼみに餌を入れて棒状部材１を水槽内に押出し、魚が慣れてくれば目の前で餌を与えながら観賞することができる。
【００２１】
なお棒状部材１は回転自在であるので、餌が余った場合にこの棒状部材を水槽外に引出して排出清掃ができる。
【産業上の利用可能性】
【００２２】
本考案による水槽内への餌投入具は、高所に設置された水槽であっても簡単に目の前で魚に餌を与えられることから、水槽に関わる産業に、広く利用することができる。
【図面の簡単な説明】
【００２３】
【図１】棒状部材の斜視図である。
【図２】スリーブの斜視図である。
【図３】水槽の側面に餌投入具を取付ける場合の取付部分の拡大図である。
【図４】魚等に餌を与えるときの水槽の側断面図である。
【符号の説明】
【００２４】
１          棒状部材
１１        くぼみ
１２        くぼみの開口部
１４        突起部（フランジ部）
２          スリーブ
２１        スリーブの外周面
２２        スリーブの内周面
２３        Ｏリング用の溝
３          水槽の壁面
３１        貫通穴
４          補強板
５          Ｏリング
【図１】
0003116447.tif 000003
【図２】
0003116447.tif 000004
【図３】
0003116447.tif 000005
【図４】
0003116447.tif 000006